(57)【要約】【課題】  読取対象に対する画像データを、所望する読取形態でより簡単に読み取ることができるようにした画像読取装置および画像読取システムおよび画像読取プログラムを提供する。【解決手段】  画像読取装置１００は原稿の読取処理を行うに際して設定する読取設定情報を、読取対象の原稿と類似した特徴画像から選択することによってその特徴画像に対して対応付けられた読取設定情報を元に設定する。これにより読取処理が行われて画像データが生成されると、その画像データから抽出した特徴の情報およびその読取処理に用いた読取設定情報を特徴画像とともに履歴情報として保存する。このとき、同一の特徴の情報および読取設定情報が存在する場合には特徴画像のみを、存在するそれらの履歴情報に対応付けて保存する。【選択図】  図１
2010226205.tif 000002
【特許請求の範囲】
【請求項１】
読取設定情報に基づいて読取対象から画像データを読み取る読取手段と、
前記画像データから前記読取対象の特徴を抽出する特徴抽出手段と、
前記特徴抽出手段によって抽出した前記読取対象の特徴と、前記読取手段による読取処理の履歴情報として管理する１または複数の画情報の特徴とを比較する特徴比較手段と、
前記特徴比較手段による比較結果により、前記読取手段により読み取った読取対象の特徴が前記履歴情報として管理する画情報の特徴と異なる場合は、前記履歴情報として当該画像データに対する画情報および前記読取設定情報を登録する登録手段と
を具備する画像読取装置。
【請求項２】
前記特徴比較手段による比較結果により、前記読取手段によって画像データを読み取った読取対象の特徴が前記履歴情報として管理する画情報の特徴と一致する場合は、前記読取手段による前記画像データの読み取りに用いた読取設定情報を、前記履歴情報として当該画情報の読取設定情報を追加登録する追加登録手段と
を具備する請求項１記載の画像読取装置。
【請求項３】
前記読取手段によって読み取った画像データに対する前記特徴を有する特徴画像を生成する特徴画像生成手段
を更に具備し、
前記特徴抽出手段は、
前記特徴画像生成手段によって生成した特徴画像から特徴を抽出し、
前記登録手段は、
前記特徴画像を履歴情報として登録する請求項１または２記載の画像読取装置。
【請求項４】
前記特徴画像生成手段は、
複数頁からなる読取対象の先頭頁に対する画像データを元に前記特徴画像を生成する請求項３記載の画像読取装置。
【請求項５】
前記履歴情報の画像情報として登録する画像データにおける機密設定の有無を判断する判断手段と、
前記判断手段によって前記画像データに機密設定がされている場合には当該画像データを暗号化する暗号化手段と
を具備し、
前記登録手段は、
前記暗号化手段によって暗号化された画像データを登録する請求項１記載の画像読取装置。
【請求項６】
前記判断手段は、
前記画像データを構成する組込み情報から前記機密設定の有無を判断する請求項５記載の画像読取装置。
【請求項７】
前記履歴情報として登録された画情報を選択することにより該画情報に対して設定された読取設定情報を指定する読取設定情報指定手段
を具備し、
前記読取処理は、
前記読取設定情報指定手段によって指定された読取設定情報に基づいて前記読取対象から画像データを読み取る請求項１乃至６のいずれかに記載の画像読取装置。
【発明の詳細な説明】
【技術分野】
【０００１】
本発明は、画像読取装置および画像読取システムおよび画像読取プログラムに関する。
【背景技術】
【０００２】
技術発展により多機能化が進む画像読取装置において、操作者が要求する品質の画像データを得るためにはさまざまな設定を行う必要がある。例えば、解像度設定、明度設定、彩度設定、コントラスト設定等を行う必要がある。
【０００３】
このため、従来技術ではこれらの設定項目１つ１つを設定した利用用途に応じた読取設定情報を複数、登録しておき、読取処理に際して登録されたこれらの読取設定情報を選択することでよりよい設定に基づく読取環境を提供している。
【０００４】
また、特許文献１に開示された従来技術では、画像読み取りや印刷を行ったときの画像を縮小した縮小画像と設定条件を関連付けて格納し、読み取りに際して縮小画像の一覧から該当するものを選択することによってその選択された縮小画像に関連付けられ設定情報に従って画像形成装置の設定が切り替わることを可能にしている。
【先行技術文献】
【特許文献】
【０００５】
【特許文献１】特開２００３−２１９０７５号公報
【発明の概要】
【発明が解決しようとする課題】
【０００６】
本発明は、読取対象に対する画像データを、所望する読取形態でより簡単に読み取ることができるようにした画像読取装置および画像読取システムおよび画像読取プログラムを提供することを目的とする。
【課題を解決するための手段】
【０００７】
上記目的を達成するため、請求項１の発明は、読取設定情報に基づいて読取対象から画像データを読み取る読取手段と、前記画像データから前記読取対象の特徴を抽出する特徴抽出手段と、前記特徴抽出手段によって抽出した前記読取対象の特徴と、前記読取手段による読取処理の履歴情報として管理する１または複数の画情報の特徴とを比較する特徴比較手段と、前記特徴比較手段による比較結果により、前記読取手段により読み取った読取対象の特徴が前記履歴情報として管理する画情報の特徴と異なる場合は、前記履歴情報として当該画像データに対する画情報および前記読取設定情報を登録する登録手段とを具備する。
【０００８】
また、請求項２の発明は、請求項１の発明において、前記特徴比較手段による比較結果により、前記読取手段によって画像データを読み取った読取対象の特徴が前記履歴情報として管理する画情報の特徴と一致する場合は、前記読取手段による前記画像データの読み取りに用いた読取設定情報を、前記履歴情報として当該画情報の読取設定情報を追加登録する追加登録手段とを具備する。
【０００９】
また、請求項３の発明は、請求項１または２の発明において、前記読取手段によって読み取った画像データに対する前記特徴を有する特徴画像を生成する特徴画像生成手段を更に具備し、前記特徴抽出手段は、前記特徴画像生成手段によって生成した特徴画像から特徴を抽出し、前記登録手段は、前記特徴画像を履歴情報として登録する。
【００１０】
また、請求項４の発明は、請求項３の発明において、前記特徴画像生成手段は、複数頁からなる読取対象の先頭頁に対する画像データを元に前記特徴画像を生成する。
【００１１】
また、請求項５の発明は、請求項１の発明において、前記履歴情報の画像情報として登録する画像データにおける機密設定の有無を判断する判断手段と、前記判断手段によって前記画像データに機密設定がされている場合には当該画像データを暗号化する暗号化手段とを具備し、前記登録手段は、前記暗号化手段によって暗号化された画像データを登録する。
【００１２】
また、請求項６の発明は、請求項５の発明において、前記判断手段は、前記画像データを構成する組込み情報から前記機密設定の有無を判断する。
【００１３】
また、請求項７の発明は、請求項１乃至６のいずれかの発明において、前記履歴情報として登録された画情報を選択することにより該画情報に対して設定された読取設定情報を指定する読取設定情報指定手段を具備し、前記読取処理は、前記読取設定情報指定手段によって指定された読取設定情報に基づいて前記読取対象から画像データを読み取る。
【発明の効果】
【００１４】
本発明の請求項１によれば、読取対象に対する画像データを、所望する読取形態でより簡単に読み取ることができるようになるという効果を奏する。
【００１５】
また、請求項２によれば、読取対象に対する画像データを、所望する読取形態でより簡単に読み取ることができるようになるという効果を奏する。
【００１６】
また、請求項３によれば、履歴情報として特徴画像が保存されてその特徴画像に対する画像読取設定を選択することができるようになり、読取対象に対する画像データを、所望する読取形態でより簡単に読み取ることができるようになるという効果を奏する。
【００１７】
また、請求項４によれば、画像データを特徴付ける最適な特徴画像からなる履歴情報を用いて、所望する読取形態でより簡単に読み取ることができるようになるという効果を奏する。
【００１８】
また、請求項５によれば、所望する読取形態で簡単に読み取ることを可能とするとともに履歴情報として記憶する情報の機密性を保持することが可能になるという効果を奏する。
【００１９】
また、請求項６によれば、機密性の有無を設定することができ、簡単で機密性の高い履歴情報を記憶することが可能になるという効果を奏する。
【００２０】
また、請求項７によれば、読取対象に対する画像データを、所望する読取形態でより簡単に読み取ることができるようになるという効果を奏する。
【図面の簡単な説明】
【００２１】
【図１】本発明の実施の形態における画像読取装置および画像読取システムおよび画像読取プログラムを適用して構成した画像読取システムのシステム構成図の一例。
【図２】本発明の実施の形態における画像読取装置（スキャナ）の詳細な構成を示すブロック図。
【図３】履歴情報の一例を示す図。
【図４】本発明の実施の形態における画像読取装置により行われる処理の流れを示すフローチャート。
【図５】図４に示す読取指示処理における詳細な処理の流れを示すフローチャート。
【図６】図４に示す登録処理の詳細な流れを示すフローチャート。
【図７】図１に示すシステム構成からなる画像読取システムを構成する画像読取装置（スキャナ）の交換元で行われる処理の流れを示すフローチャート。
【図８】図１に示すシステム構成からなる画像読取システムを構成する画像読取装置（スキャナ）の交換先で行われる処理の流れを示すフローチャート。
【図９】本発明の実施の形態における画像読取装置および画像読取システムおよび画像読取プログラムを適用して構成した画像読取システムのシステム構成図の一例。
【図１０】図９に示す処理サーバによって行われる処理の流れを示すフローチャート。
【発明を実施するための形態】
【００２２】
以下、本発明に係わる画像読取装置および画像読取システムおよび画像読取プログラムの一実施例を添付図面を参照して詳細に説明する。
【実施例１】
【００２３】
図１は、本発明の実施の形態における画像読取装置および画像読取システムおよび画像読取プログラムを適用して構成した画像読取システムのシステム構成図の一例である。
【００２４】
図１において、画像読取システムは、原稿台にセットされた原稿を読み取ることにより画像データを生成する画像読取装置Ａ（１００−１）、画像読取装置Ｂ（１００−２）（以下、総称して「スキャナ１００」という）、スキャナ１００によって読み取った画像データを保存する情報処理装置Ａ（２００−１）、情報処理装置Ｂ（２００−２）（以下、総称して「情報処理装置２００」という）を具備して構成される。
【００２５】
スキャナ１００は、原稿台にセットされた原稿を光学的に読み取ることにより画像データを生成する読取処理（「スキャン処理」ともいう）を行う装置であって、読取処理によって読み取った画像データをプッシュスキャン機能により、予め指定された情報処理装置２００の保存領域に保存する。
【００２６】
この読取処理では、その読取対象に応じてまたは所望する形式に応じて読取設定を行う。この読取設定は、スキャンパラメータ（以下、「読取設定情報」という）とも称され、例えばカラー／グレースケール／白黒設定、解像度設定、明度／彩度設定、コントラスト設定、読取サイズ等の情報がこれに該当する。
【００２７】
また、スキャナ１００は、読取処理の履歴情報を管理しており、この履歴情報には読取処理によって読み取った画像データおよび当該読取処理に用いた読取設定情報等の情報が含まれる。
【００２８】
この履歴情報は、各スキャナがそれぞれで管理しており、図１に示す構成では、画像読取装置Ａ（１００−１）および画像読取装置Ｂ（１００−２）が自ら行った読取処理の履歴情報を管理している。このようにして、管理された履歴情報を有するスキャナそれぞれは、その履歴情報をスキャナ相互間で交換する処理を行うことによって履歴情報を共有する。このときの履歴情報の共有における詳細な処理の流れを図７および図８に示す。
【００２９】
また、各スキャナの詳細な構成を図２に示し、以下で説明する。
【００３０】
図２は、本発明の実施の形態における画像読取装置（スキャナ）の詳細な構成を示すブロック図である。
【００３１】
図２において、スキャナ１００は、原稿の読取処理に基づく画像データの生成を制御するコントローラとコントローラからの指示に基づいて原稿の読取処理を行う読取部によって構成される。
【００３２】
コントローラは、通信部１０、読取設定操作制御部１１、認証部１２、認証情報記憶部１３、履歴情報検索部１４、履歴情報保存部１５、情報指定部１６、登録制御部１７、特徴画像生成部１８、暗号化処理部１９、特徴抽出部２０、比較部２１、画像保存部２２、転送制御部２３を具備し、読取部は画像読取部３０を具備して構成される。
【００３３】
読取設定操作制御部１１は、プラテンガラス等の原稿台にセットされた読取対象の原稿を光学的に読み取る読取処理に用いる読取設定の設定操作を行う。
【００３４】
スキャナ１００に設けられた操作パネル（図示せず）等を操作者が操作することにより操作者ＩＤやパスワードが入力されると、読取設定操作制御部１１では、その入力された操作者の情報を認証部１２へと送出する。このとき、認証部１２は、その送出されてきた操作者に関する情報を認証情報記憶部１３で記憶する認証情報と比較して認証を行う。
【００３５】
認証情報記憶部１３では、操作者に関する情報、例えば操作者ＩＤやパスワード、操作者の属するグループ等の情報を記憶する。
【００３６】
認証部１２では、入力された操作者の情報と認証情報記憶部１３に記憶する情報とが一致すること、入力された操作者の情報に基づく操作者による操作が許可されていることを確認して操作者を認証する。
【００３７】
操作者の認証処理が行われると、認証部１２は、その認証結果を読取設定操作制御部１１へと通知する。
【００３８】
この読取設定操作制御部１１では、その認証結果を受信して認証されたかを判断する。操作者が認証されている場合には、続いて、履歴情報検索部１４へとその認証された操作者が行った読取処理の履歴情報若しくは管理する全ての履歴情報の取得要求を履歴情報検索部１４へと行う。操作者が認証されない場合にはその旨を操作パネル（図示せず）に表示して再入力を可能とする。
【００３９】
また、読取設定操作制御部１１から履歴情報の取得要求を受信した履歴情報検索部１４では、履歴情報保存部１５で保存された履歴情報のうち、その操作者の履歴情報の取得要求が行われている場合にはその操作者の履歴情報を検索する。
【００４０】
この履歴情報保存部１５で保存する履歴情報は、例えば図３に示すような履歴情報であって、操作者ごとの履歴情報若しくは全操作者に対する履歴情報として保存されている。
【００４１】
図３に示す履歴情報は、特徴情報項目３０１、特徴画像項目３０４、読取設定情報項目３０５によって構成されている。
【００４２】
特徴情報項目３０１は、読取処理の特徴を示す情報を示しており、特徴ＩＤ項目３０２、特徴項目３０３から構成されている。特徴ＩＤ項目３０２は、特徴情報を識別する識別情報であり、特徴項目３０３は読取処理によって読み取った画像データから抽出されたその画像データを特徴付ける情報である。
【００４３】
この特徴項目３０３は、例えば配色構成、レイアウト状態等によって特徴を示している。
【００４４】
読取処理によって複数ページからなる原稿を読み取った場合には、特徴画像項目３０４で示される特徴画像を作成する元となった画像データから抽出した情報が特徴項目３０３に示される。
【００４５】
続いて、特徴画像項目３０４は、読取対象の原稿を特徴付けるページのイメージ画像であって、総ページ数が１ページである原稿の読取処理を行う場合にはそのページのイメージ画像が特徴画像である。それに対して、総ページ数が２ページ以上の原稿の読取処理を行う場合には先頭ページのイメージ画像若しくは写真等の情報を含むページであって予め指定した情報に基づくページのイメージ画像を特徴画像とすることも可能である。
【００４６】
もちろん、このイメージ画像を、拡大、縮小、解像度変換、色変換した編集後のイメージ画像（「編集イメージ画像」ともいう）を特徴画像とすることも可能である。
【００４７】
図３において、特徴情報項目３０１の特徴ＩＤ項目３０２が「００１」であるレコードの特徴画像は、背景画像として多色によって描画され、「かばん」を示す絵オブジェクトに付されたマークが３つの異なる色彩によって表された状態にある。
【００４８】
また、特徴ＩＤ項目３０２が「００２」であるレコードの特徴画像として、３つの特徴画像が示されており、最上段に示された特徴画像は例えば濃紺色の背景に白抜きの「￥（円の通貨マーク）」の絵オブジェクトが示されており、中段に示された特徴画像は例えば赤色の背景に白抜きの「£（ポンドの通貨マーク）」の絵オブジェクトが示されており、最下段に示された特徴画像は例えば黄色の背景に白抜きの「＄（ドルの通貨マーク）」の絵オブジェクトが示されており、単色のカラー画像であることを示している。
【００４９】
さらに、特徴ＩＤ項目３０２が「００５」であるレコードの特徴画像は、バルーンの風景画像を撮影したものであって、フルカラーで描画されて表された状態にある。
【００５０】
なお、図３に示す特徴画像はその一例であって、これに限定されることなく、さまざまな画像を特徴画像とすることができる。
【００５１】
読取設定情報項目３０５は、特徴画像の元となる画像データを生成する読取処理に用いた読取設定情報である。
【００５２】
このような情報からなる履歴情報を、履歴情報保存部１５で保存しており、履歴情報検索部１４からの検索要求に応答する。
【００５３】
履歴情報検索部１４によって履歴情報が検索されると、その履歴情報を読取設定操作制御部１１へと応答する。
【００５４】
この読取設定操作制御部１１では、受信した履歴情報のうち少なくとも１つの履歴情報が暗号化されている場合であって、操作者を認証していないときには認証部１２へと認証要求を行う。すなわち、上記において、読取処理の開始時に認証を行うような構成としているが、この履歴情報を取得することによってその履歴情報が暗号化されている場合に操作者を認証するような構成であってもよい。
【００５５】
暗号化されており操作者を認証していない場合に認証すると、表示ディスプレイ（図示せず）に操作履歴に基づく特徴画像の一覧を表示し、操作者による選択の有無を指示する。このとき、操作者は読取処理の読取対象となる原稿と類似する特徴画像を選択することによって、その特徴画像の読取処理に用いた読取設定情報を利用して読取処理を行うことが可能となる。
【００５６】
操作者が表示された特徴画像のうちいずれかを選択した場合には、その特徴画像に対して保存された読取設定情報、読取処理に基づき新たに作成される特徴画像の第三者への開示許否のそれぞれを設定する画面を表示する。
【００５７】
読取処理の操作者はこの表示された読取設定情報を用いて読取処理を行うと判断する場合には、「確定ボタン」等を押下することによって読取設定情報を確定させる。このとき、読取設定操作制御部１１は、確定した読取設定情報および確定したことを情報指定部１６へと通知する。
【００５８】
情報指定部１６は、読取設定操作制御部１１からこれらの情報を受信することにより、所定の「新規設定フラグ」および「機密モード」を指定する。
【００５９】
すなわち、確定した読取設定情報が履歴情報に示された読取設定情報と同一であって変更されたものでない場合には「新規設定フラグ」を「ＯＦＦ」と指定し、変更されたものであって同一でない場合には「新規設定フラグ」を「ＯＮ」と指定する。また、特徴画像の第三者への開示許否において開示が許可されている場合には「機密モード」を「ＯＦＦ」と指定し、開示が許可されていない場合には「機密モード」を「ＯＮ」と指定する。
【００６０】
この場合における第三者への開示許否の設定は、読取処理で設定する場合のほか、画像データの特定箇所に明示されたマーキング情報や埋め込まれた電子情報等による組込み情報によって判断する。
【００６１】
このような場合とは逆に、操作者が表示されたいずれの特徴画像をも選択しない場合や、上記の検索処理によって履歴情報が検索されない場合、さらには認証処理において操作者を認証できない場合には、読取設定情報の各設定項目を設定する設定画面を表示して操作者による設定を可能とする。
【００６２】
これによって、読取設定情報が設定されると、情報指定部１６へと読取設定情報および設定したことを通知し、情報指定部１６は設定内容に基づいて「新規設定フラグ」および「機密モード」を指定する。すなわち、新たに読取設定情報が設定されることから「新規設定フラグ」を「ＯＮ」と指定し、この読取設定情報に基づく読取処理を特徴付ける特徴画像の開示許否において開示が許可する場合には「機密モード」を「ＯＦＦ」と指定し、開示が許可されない場合には「機密モード」を「ＯＮ」と指定する。
【００６３】
このようにして「新規設定フラグ」および「機密モード」が指定されると、情報指定部１６では、読取設定情報および指定した新規設定フラグおよび機密モードの情報を登録制御部１７へと送出し、さらに読取設定操作制御部１１に対して読取設定情報および処理の完了を通知する。
【００６４】
この読取設定操作制御部１１では、情報指定部１６から読取設定情報および処理の完了通知を受信すると、その読取設定情報に基づく原稿の読取指示を画像読取部３０へと行い、読取設定情報を登録制御部１７へと送出する。
【００６５】
これによって、画像読取部３０では、設定された読取設定情報に基づく原稿の読取処理を行う。
【００６６】
この画像読取部３０によって原稿の読取処理が完了し、画像データが生成されると、画像読取部３０は、読み取った画像データを画像保存部２２へと保存する。また、画像読取部３０では、読取処理が完了したことを登録制御部１７へ通知する。
【００６７】
情報指定部１６より読取設定情報および指定した新規設定フラグおよび機密モードの情報が通知された状態にある登録制御部１７では、画像読取部３０から読取処理の完了が通知されると、画像保存部２２から保存された画像データを取得する。
【００６８】
この登録制御部１７では、取得した画像データのうち特徴を抽出する対象となる画像データを選択する。この選択処理は、上記に示すように、総ページ数が１ページからなる原稿を読み取った画像データの場合にはそのページに対する画像データを選択し、総ページ数が２ページ以上の複数ページからなる画像データの場合には先頭ページ若しくは写真等のその原稿を特徴付ける情報が含まれるページの画像データを選択する。
【００６９】
登録制御部１７で特徴情報の抽出対象となる画像データが選択されると、その画像データを特徴画像生成部１８へと送信し、さらにその画像データを特徴抽出部２０へと送信する。
【００７０】
特徴画像生成部１８では、登録制御部１７から受信した画像データを元に、拡大、縮小、解像度変換、色変換する処理を行うことによって特徴画像を生成する。この特徴画像生成部１８によって生成された特徴画像の一例が、図３に示す履歴情報の特徴画像項目３０４に示される特徴画像である。
【００７１】
特徴画像生成部１８が特徴画像を生成すると、登録制御部１７に対してその特徴画像を送出する。このとき、登録制御部１７では、情報指定部１６より送出された「機密モード」の情報が「ＯＮ」と設定されていることによりその特徴画像を暗号化処理部１９へと送出する。この暗号化処理部１９では操作者から暗証番号等の暗号キーの入力を受け付けてその暗証番号に基づく暗号化を行う。
【００７２】
暗号化処理部１９によって暗号化されると、その暗号化後の特徴画像を登録制御部１７へと送出する。
【００７３】
登録制御部１７では、特徴画像を、暗号化処理部１９によって暗号化されている場合には暗号化された特徴画像を、読取設定操作制御部１１から受信した読取設定情報とともに履歴情報保存部１５へ保存する。
【００７４】
また、特徴抽出部２０では、登録制御部１７から受信した画像データを元に特徴を抽出する。そして、抽出した特徴の情報を比較部２１へと送出する。
【００７５】
比較部２１では、特徴抽出部２０によって抽出された特徴と、履歴情報保存部１５で履歴情報として保存された特徴情報とを比較して同一であるかを判断する。同一であると判断される場合には、登録制御部１７で履歴情報保存部１５へと保存した特徴画像を、同一であると判断された特徴情報に対する特徴画像と対応付けて履歴情報保存部１５へ保存する。
【００７６】
また、その特徴情報に対する読取設定情報と読取設定操作制御部１１から受信した読取設定情報が同一である場合にはその特徴情報に対して特徴画像のみを対応付ける。すなわち、特徴情報が同一の場合であって読取設定情報が同一である場合には、１つの特徴情報に対して２つ以上の特徴画像が対応付けら得て保存された状態となり、これらの特徴画像に対して１つの読取設定情報が対応付けられた状態となる。
【００７７】
この場合、履歴情報保存部１５で保存する履歴情報の一例である図３では、このような状態を特徴項目３０２が「００４」である履歴情報に示している。
【００７８】
この図３に示す特徴項目３０２が「００４」である履歴情報は、特徴情報の特徴項目３０３が「白黒印刷、線画、全体レイアウト」の１つであり、この特徴項目３０３に対して特徴画像項目３０４に２つの特徴画像が対応付けられ、読取設定情報項目３０５に「Ａ４、白黒、３００dpi」の１つの読取設定情報が対応付けられている。
【００７９】
なお、画像保存部２２に保存された画像データは、転送制御部２３がプッシュスキャン機能における保存先として指定された保存先へ転送する際に転送制御部２３によって取得されて転送される。
【００８０】
このような構成からなるスキャナにおける詳細な処理の流れを、図４、図５、図６に示す。
【００８１】
図４は、本発明の実施の形態における画像読取装置により行われる処理の流れを示すフローチャートである。
【００８２】
図４において、画像読取装置に設けられた読取処理の機能を操作者が選択すると処理が開始され、まず、読取指示処理を行う（４０１）。この読み取り指示処理では、画像読取装置の原稿台（プラテン）にセットされた原稿を読み取る際の読取設定情報（スキャンパラメータ）を設定する。
【００８３】
この読取指示処理における詳細な処理の流れを図５に示し、以下で説明する。
【００８４】
この読取指示処理によって読取設定情報（パラメータ）が設定されると、画像読取装置は、その読取設定情報に基づいて原稿台にセットされた読み取り対象の原稿の読取処理を行う（４０２）。
【００８５】
この読取処理によって原稿に対する画像データが生成されると、この画像データを保存する（４０３）。
【００８６】
さらに、この読取処理による画像データの生成における処理操作の履歴を登録する登録処理を行う（４０４）。この登録処理では、読取処理における最適な読取設定情報（パラメータ）の選択を可能とする情報等を記録する処理であって、この登録処理の詳細な流れを図６に示し、以下で説明する。
【００８７】
読取処理に対する履歴情報が登録されると、保存した画像データを送信先として指定されたクライアントＰＣ等に送信する（４０５）。
【００８８】
そして、ＡＤＦ（Auto Document Feeder）等の原稿台にセットされた複数枚の原稿に対して読取処理を行う場合でこれらの処理が最終ページの原稿について行われたかを判断し（４０６）、最終ページの原稿に対して行われたものでない場合（４０６でＮＯ）には、再度、設定された読取設定情報（スキャンパラメータ）に基づいて次ページの原稿の読取処理を行う（４０２）。
【００８９】
また、最終ページの原稿に対して行われたものである場合（４０６でＹＥＳ）には、処理を終了する。
【００９０】
図５は、図４に示す読取指示処理における詳細な処理の流れを示すフローチャートである。
【００９１】
図５において、画像読取装置に設けられた読取処理の機能を操作者が選択すると処理が開始され、まず、初期設定として新規登録フラグを「ＯＦＦ」に設定し、機密フラグを「ＯＦＦ」とする（５０１）。次に、読取処理の機能が選択されたことによる読取処理を実行するに際し、履歴情報を参照して読取設定情報（スキャンパラメータ）の設定を行うか否かを判断する（５０２）。
【００９２】
履歴情報を参照して読取設定情報の設定を行わない場合（５０２でＮＯ）には、読取設定情報の設定画面を画像読取装置若しくはクライアントＰＣの表示ディスプレイに表示して各設定項目を設定する（５１２）。そして、新規登録フラグを「ＯＮ」に設定する（５１１）。
【００９３】
また、履歴情報を参照して読取設定情報の設定を行う場合（５０２でＹＥＳ）には、読取処理の操作を行う操作者およびその操作者が属するグループを元に、履歴情報の検索を行う（５０３）。この検索処理によって、操作者若しくはそのグループに対応する履歴情報が検索されたかを判断し（５０４）、履歴情報が検索されない場合（５０４でＮＯ）、たとえばその操作者による操作が初めての操作である場合や履歴情報が初期化された状態にある場合には、読取設定情報の設定画面を画像読取装置若しくはクライアントＰＣの表示ディスプレイに表示して各設定項目を設定する（５１２）。そして、新規登録フラグを「ＯＮ」に設定する（５１１）。
【００９４】
また、操作者若しくはそのグループに対応する履歴情報が検索された場合（５０４でＹＥＳ）には、検索された履歴情報に含まれる特徴情報、特徴画像、読取設定情報（スキャンパラメータ）のうち、いずれかの情報が暗号化されている場合かを判断し（５０５）、少なくとも１つ以上の情報が暗号化されている場合（５０５でＹＥＳ）には、暗証番号等の入力を受け付けることにより認証処理を行う（５０６）。
【００９５】
この認証処理によって認証できたかを判断し（５０７）、認証できない場合（５０７でＮＯ）には、暗号化された情報を表示することができないことから履歴情報に基づいて読取設定情報を設定できないとして、読取設定情報の設定画面を画像読取装置若しくはクライアントＰＣの表示ディスプレイに表示して各設定項目を設定する（５１２）。そして、新規登録フラグを「ＯＮ」に設定する（５１１）。
【００９６】
それに対して、認証できた場合（５０７でＹＥＳ）および履歴情報が暗号化されていない場合（５０５でＮＯ）には、検索された履歴情報に対する特徴情報、特徴画像、読取設定情報を表示する（５０８）。
【００９７】
このとき表示されるこれらの情報は検索された履歴情報の数量分が表示される。
【００９８】
そして、この表示された履歴情報に対する特徴画像のうち、読取処理を行う原稿と類似する特徴画像がある場合には操作者がその特徴画像を選択する（５０９）。このとき、読取処理を行う原稿と類似する特徴画像がなく、表示された特徴画像のいずれをも選択しない場合（５０９でＮＯ）には、読取設定情報の設定画面を画像読取装置若しくはクライアントＰＣの表示ディスプレイに表示して各設定項目を設定する（５１２）。そして、新規登録フラグを「ＯＮ」に設定する（５１１）。
【００９９】
それに対して、表示された特徴画像からいずれかの特徴画像を選択した場合（５０９でＹＥＳ）には、続いて、選択された特徴画像に対して保存されている読取設定情報（スキャンパラメータ）に対して変更がされたかを判断する（５１０）。変更された場合（５１０でＹＥＳ）には、新規設定フラグを「ＯＦＦ」から「ＯＮ」へと変更して設定する（５１１）。このとき、選択された特徴画像に対して保存されている読取設定情報（スキャンパラメータ）が変更されない場合には新規設定フラグを初期設定の「ＯＦＦ」の状態のままとする。
【０１００】
このようにして、読取処理における読取設定情報が決定すると、続いて、この読取設定情報に基づいて読取処理が行われることにより保存する履歴情報における特徴画像を第三者へ開示することの許否を判断する（５１３）。
【０１０１】
第三者への特徴画像の開示が拒否されている場合（５１３でＹＥＳ）には、機密モードを「ＯＮ」に設定し（５１４）、許可されている場合（５１３でＮＯ）には、機密モードを初期設定の「ＯＦＦ」の状態のままとする。
【０１０２】
この図５における処理により、画像読取装置における読取処理の読取設定情報（スキャンパラメータ）が決定するとともに、この読取処理における履歴情報の保存における設定が行われる。そして、図４と図６における処理ではこの情報をもとに処理が行われる。
【０１０３】
図６は、図４に示す登録処理の詳細な流れを示すフローチャートである。
【０１０４】
図６において、読取処理が行われて生成された画像データが保存された状態となると処理が開始され、まず、図５に示す読取指示処理において設定された新規登録フラグが「ＯＮ」に設定されているかを判断する（６０１）。新規登録フラグが「ＯＮ」に設定されている場合（６０１でＹＥＳ）、すなわち履歴情報として保存された登録画像に対する読取設定情報（スキャンパラメータ）が指定されているのではない場合には、読取処理によって読み取った画像データから特徴画像を生成する（６０２）。
【０１０５】
このときの特徴画像は、読取対象の原稿を特徴付けたページのイメージ画像であって、１ページ分の原稿の読取処理を行う場合にはそのページのイメージ画像を特徴画像とし、また、複数ページの原稿の読取処理を行う場合には先頭ページや写真等の情報を含むイメージ画像を特徴画像とする。もちろん、このイメージ画像を拡大、縮小、解像度変換、色変換した画像を特徴画像とすることも可能である。
【０１０６】
このようにして特徴画像が生成されると、この特徴画像若しくは特徴画像を生成する元となった画像データから特徴を抽出する（６０３）。そして、履歴情報として登録された状態にある操作者に対する特徴情報を読み込む（６０４）。
【０１０７】
読み込んだ特徴情報と抽出した特徴とを比較して（６０５）、特徴が特徴情報に類似するかを判断する（６０６）。
【０１０８】
特徴が履歴情報として管理する特徴情報に類似していない場合（６０６でＮＯ）には、操作者へその特徴に関する情報を特徴情報として保存するかを確認するとともに当該特徴の情報を、読取処理に際して設定された読取設定情報に対応付けて登録するか否かの画面を表示する（６０７）。
【０１０９】
表示された画面を用いて操作者が、抽出した特徴の情報を読取設定情報に対応付けて登録することを選択したかを判断し（６０８）、登録しない場合（６０８でＮＯ）には、本登録処理を終了する。また、登録することが選択された場合（６０８でＹＥＳ）には、特徴情報として保存される特徴画像を暗号化して第三者に開示することの許否として機密モードが設定されたかを判断する（６０９）。
【０１１０】
機密モードが「ＯＮ」となり設定された状態にある場合（６０９でＹＥＳ）には、暗証番号等の暗号キーを指定して特徴画像を暗号化する（６１０）。
【０１１１】
これにより、読取処理を行った際の読取設定情報に対応付けて特徴の情報、特徴画像を履歴情報として登録する（６１１）。
【０１１２】
続いて、上記の抽出した特徴の情報と読み込んだ履歴情報の特徴情報とが類似していると判断される場合（６０６）において、この場合、さらに生成した特徴画像を保存するかを判断し（６１２）、操作者により特徴画像を保存することが設定されない（６１２でＮＯ）には、本登録処理を終了する。また、特徴画像を保存することが設定されると（６１２でＹＥＳ）には、続いて、上記同様、機密モードが設定されているかを判断する（６１３）。
【０１１３】
機密モードが設定されている場合（６１３）には、暗証番号等の暗号キーを指定して特徴画像を暗号化する（６１４）。
【０１１４】
そして、暗号化された場合には暗号化後の特徴画像を、暗号化されていない場合には生成された特徴画像を、類似すると判断された特徴情報の履歴情報に関連付けて保存する（６１５）。
【０１１５】
また、上記の新規登録フラグが「ＯＮ」に設定されていない場合（６０１でＮＯ）においては、すなわち、履歴情報として保存された読取設定情報（スキャンパラメータ）を用いて読取処理が行われた場合には、続いて、読取処理によって読取対象の原稿を読み取った画像データに対する特徴画像を生成して保存することが読取処理の設定を行う画面において指定されているかを判断する（６１６）。
【０１１６】
指定されていない場合（６１６でＮＯ）には、本登録処理を終了する。また、特徴画像を生成して保存することが指定されている場合（６１６でＹＥＳ）には、読み取った画像データから特徴画像を生成する（６１７）。そして、読取処理の設定を行う画面において、機密モードが設定されているかを判断して（６１８）機密モードが設定されている場合（６１８でＹＥＳ）には特徴画像を暗号化する（６１９）。
【０１１７】
そして、読取処理を行った読取設定情報の履歴情報に、生成した特徴画像を関連付けて保存する（６２０）。
【０１１８】
図７は、図１に示すシステム構成からなる画像読取システムを構成する画像読取装置（スキャナ）の交換元で行われる処理の流れを示すフローチャートである。
【０１１９】
図７において、予め指定した問合せ時間となったかを判断し（７０１）、指定した問合せ時間となっていない場合（７０１でＮＯ）には、その時間まで待機状態となり、指定した問合せ時間となった場合（７０１でＹＥＳ）には、ネットワーク上にある若しくは予め指定されたスキャナに対し、保存された履歴情報の最終更新日時の情報を送信する（７０２）。
【０１２０】
そして、その送信した最終更新日時よりも新しい更新日時の履歴情報を持つ送信先のスキャナからの応答があるかを判断し（７０３）、一定時間内に応答がない場合（７０３でＮＯ）には再度、予め指定した問合せ時間となるまで待機状態とする。また、応答がある場合（７０３でＹＥＳ）には、この応答により受信した履歴情報を、当スキャナが対応する形式に変換する（７０４）。
【０１２１】
そして、その履歴情報の登録する（７０５）。このときの登録処理は図７に示すような処理を行う。
【０１２２】
図８は、図１に示すシステム構成からなる画像読取システムを構成する画像読取装置（スキャナ）の交換先で行われる処理の流れを示すフローチャートである。
【０１２３】
図８において、他のスキャナより最終更新日時を受信したかを判断し（８０１）、最終更新日時を受信していない場合（８０１でＮＯ）には待機状態とする。また、最終更新日時を受信した場合（８０１でＹＥＳ）には、保存している履歴情報の最終更新日時を特定する（８０２）。
【０１２４】
そして、特定した最終更新日時と受信した最終更新日時の情報とを比較し（８０３）、受信した最終更新日時の情報のほうが新しいかを判断する（８０４）。保存してある履歴情報の最終更新日時の方が新しい場合（８０４でＮＯ）には、処理を終了する。
【０１２５】
また、受信した最終更新日時の情報の方が新しい場合（８０４でＹＥＳ）には、その最終更新日以降の履歴情報を送信する（８０５）。
【実施例２】
【０１２６】
図９は、本発明の実施の形態における画像読取装置および画像読取システムおよび画像読取プログラムを適用して構成した画像読取システムのシステム構成図の一例である。
【０１２７】
図９に示す画像読取システムは、原稿台にセットされた原稿を読み取ることにより画像データを生成する画像読取装置Ａ（１００−１）（以下、「スキャナＡ（１００−１）」という）、画像読取装置Ｂ（１００−２）（以下、「スキャナＢ（１００−２）」という）（以下、総称して「スキャナ１００」という）、スキャナ１００によって読み取った画像データを保存する情報処理装置２００、情報制御装置３００（以下、「処理サーバ３００」という）を具備して構成される。
【０１２８】
上記の実施例１で示す図１と同様、スキャナ１００は、原稿台にセットされた原稿を光学的に読み取ることにより画像データを生成する読取処理（「スキャン処理」ともいう）を行う装置であって、読取処理によって読み取った画像データをプッシュスキャン機能により、予め指定された情報処理装置２００の保存領域に保存する。
【０１２９】
この読取処理では、その読取対象に応じてまたは所望する形式に応じて読取設定を行う。この読取設定は、スキャンパラメータ（以下、「読取設定情報」という）とも称され、例えばカラー／グレースケール／白黒設定、解像度設定、明度／彩度設定、コントラスト設定、読取サイズ等の情報がこれに該当する。
【０１３０】
また、スキャナ１００は、読取処理の履歴情報を管理している。
【０１３１】
この履歴情報には、読取処理によって読み取った画像データおよび当該読取処理に用いた読取設定情報等の情報が含まれる。
【０１３２】
上記の実施例１で示す図１では、この履歴情報を各スキャナがそれぞれ管理し、一定のタイミングでその履歴情報をスキャナ相互間で交換するような構成を示しているが、本実施例２では、その履歴情報を処理サーバ３００で管理するような構成である。
【０１３３】
この実施例２に示す各スキャナ１００における構成は、上記の実施例１において図２に示す構成と同様であって、スキャナ１００によって読取処理が完了するとその読取処理における履歴情報を処理サーバ３００へと送出する。
【０１３４】
このとき、処理サーバ３００は、各スキャナ１００からの履歴情報を受信して管理する。この処理サーバ３００において管理される履歴情報は、例えば図３に示すような情報であって、また、この図３に示すような情報に、読取処理を行ったスキャナを識別情報や操作者を識別する操作者情報を関連付けて記憶するような構成であってもよい。
【０１３５】
スキャナ１００は、読取処理の読取設定情報を設定する際に処理サーバ３００に対して履歴情報の取得要求を行う。この取得要求に対して処理サーバ３００では、取得要求の内容に応じた履歴情報をスキャナ１００に送信する。例えば、取得要求が全ての履歴情報を元にする場合には、処理サーバ３００は管理する全ての履歴情報を要求元のスキャナ１００に送信する。また、認証した操作者に対する履歴情報の取得要求を元にする場合には、その操作者が読取処理を行った際の履歴情報のみを要求元のスキャナ１００に送信する。さらに、認証した操作者の属するグループにおけるユーザによって行われた読取処理の履歴情報の取得要求を元にする場合には、そのグループに対する履歴情報のみを要求元のスキャナ１００に送信する。
【０１３６】
このときの処理サーバ３００によって行われる処理の流れを示すフローチャートを図１０に示す。
【０１３７】
図１０において、処理サーバ３００は、スキャナ１００から情報を受信すると処理が開始され、まず、その情報が履歴情報の取得要求であるかを判断する（１００１）。取得要求である場合（１００１でＹＥＳ）には、取得要求された履歴情報の読み込みを行う（１００２）。
【０１３８】
このときの読み込み処理は、上記するように、取得要求された履歴情報の読み込みを行う。
【０１３９】
続いて、取得要求の要求元を解析し（１００３）、読み込みを行った履歴情報を、解析した要求元が対応する形式に変換する（１００４）。
【０１４０】
そして、変換後の履歴情報を取得要求の要求元に送信する（１００５）。
【０１４１】
これに対して、スキャナ１００から受信した情報が取得要求でない場合（１００１でＮＯ）には、続いて、その情報が登録要求であって履歴情報を受信したかを判断する（１００６）。取得要求でもなく登録要求でもない場合には処理を終了する。
【０１４２】
また、登録要求であって履歴情報を受信した場合（１００６でＹＥＳ）には、その履歴情報を予め指定した共通の形式への変換して（１００７）登録処理を行う（１００８）。
【０１４３】
このときの登録処理の詳細は、図６を用いた処理である。
【０１４４】
以上に示す実施の形態は、本発明の実施の一形態であって、これらの実施例に限定することなく、その要旨を変更しない範囲内で適宜変形して実施できるものである。
【０１４５】
なお、本発明は、通信機能を備えた画像読取システムで上述の動作を実行させ、あるいは上述の手段を構成させるためのプログラムを格納した記録媒体（ＣＤ−ＲＯＭ、ＤＶＤ−ＲＯＭ等）から該プログラムをコンピュータにインストールし、これを実行させることにより、上述の処理を実行する画像読取システムを構成することも可能である。画像読取システムを構成するコンピュータは、システムバスを介してＣＰＵ（Central Processor Unit）、ＲＯＭ（Read Only Memory）、ＲＡＭ（Random Access Memory）、ハードディスクが接続されている。ＣＰＵは、ＲＯＭまたはハードディスクに記憶されているプログラムに従い、ＲＡＭを作業領域にして処理を行う。
【０１４６】
また、プログラムを供給するための媒体は、通信媒体（通信回線、通信システムのように一時的または流動的にプログラムを保持する媒体）でもよい。例えば、通信ネットワークの電子掲示板（ＢＢＳ：Bulletin Board Service）に該プログラムを掲示し、これを通信回線を介して配信するようにしてもよい。
【符号の説明】
【０１４７】
１０        通信部
１１        読取設定操作制御部
１２        認証部
１３        認証情報記憶部
１４        履歴情報検索部
１５        履歴情報保存部
１６        情報指定部
１７        登録制御部
１８        特徴画像生成部
１９        暗号化処理部
２０        特徴抽出部
２１        比較部
２２        画像保存部
２３        転送制御部
３０        画像読取部
【図１】
2010226205.tif 000003
【図２】
2010226205.tif 000004
【図３】
2010226205.tif 000005
【図４】
2010226205.tif 000006
【図５】
2010226205.tif 000007
【図６】
2010226205.tif 000008
【図７】
2010226205.tif 000009
【図８】
2010226205.tif 000010
【図９】
2010226205.tif 000011
【図１０】
2010226205.tif 000012